(57)【要約】【課題】  移動局の通信優先度についてのネゴシエイションを移動局と基地局との間、基地局間で減らす。【解決手段】  加入者情報を管理する管理装置（ＡＡサーバ）と、基地局（ＢＳ１、ＢＳ２）と、移動局ＭＳ１、ＭＳ２から構成される無線通信システムであって、前記管理装置は、移動局の固定識別子に対応させて優先度を管理する管理手段を有し、前記移動局は、基地局に接続する際に移動局の固定識別子を接続先の基地局に送信する送信手段を有し、前記基地局は、移動局から該移動局の固定識別子を受信する受信手段と、該受信した固定識別子と前記管理手段の管理情報に基づいて当該移動局の優先度に対応するエリア内の識別子を前記移動局に割り当てる割当手段とを有する。【選択図】    図１
2005294957.tif 000002
【特許請求の範囲】
【請求項１】
基地局からエリア内の移動局に対して端末を識別する識別子を動的に割り当てる動的識別子割当方法であって、
移動局の固定識別子に対応させて予め優先度を管理し、識別子を割り当てる移動局から該移動局の固定識別子を受信し、該受信した固定識別子に対応する優先度を判定し、当該移動局の優先度に対応する識別子を移動局に割り当てることを特徴とする動的識別子割当方法。
【請求項２】
前記移動局の固定識別子は、移動局端末に依存する端末識別子又は加入者に依存する加入者識別子であることを特徴とする請求項１記載の動的識別子割当方法。
【請求項３】
基地局からエリア内の移動局に対して端末を識別する識別子を動的に割り当てる動的識別子割当方法であって、
移動局からのアクセス要求を受信し、該受信したアクセス要求に対応する優先度を判定し、当該アクセス要求に対応する識別子を移動局に割り当てることを特徴とする動的識別子割当方法。
【請求項４】
前記アクセス要求に対応する優先度は、移動局端末が使用するアプリケーションに依存することを特徴とする請求項３記載の動的識別子割当方法。
【請求項５】
基地局からエリア内の移動局に対して端末を識別する識別子を動的に割り当てる動的識別子割当方法であって、
移動局が接続中の基地局から他の基地局に切換える場合、切換先の基地局は、前記接続中の基地局が前記移動局に動的に割り当てた識別子を受信し、該識別子が有する優先度に対応する優先度の識別子を前記移動局に割り当てることを特徴とする動的識別子割当方法。
【請求項６】
加入者情報を管理する管理装置と、基地局と、移動局から構成される無線通信システムであって、
前記管理装置は、
移動局の固定識別子に対応させて優先度を管理する管理手段を有し、
前記移動局は、
基地局に接続する際に移動局の固定識別子を接続先の基地局に送信する送信手段を有し、
前記基地局は、
移動局から該移動局の固定識別子を受信する受信手段と、
該受信した固定識別子と前記管理手段の管理情報に基づいて当該移動局の優先度に対応するエリア内の識別子を前記移動局に割り当てる割当手段とを有することを特徴とする無線通信システム。
【請求項７】
前記移動局の固定識別子は、移動局端末に依存する端末識別子又は加入者に依存する加入者識別子であることを特徴とする請求項６記載の無線通信システム。
【請求項８】
基地局と、移動局から構成される無線通信システムであって、
前記移動局は、
基地局に対してアクセス要求する際に該アクセス要求の内容を示す情報を接続先の基地局に送信する送信手段を有し、
前記基地局は、
移動局からアクセス要求を受信する受信手段と、
該受信したアクセス要求の内容を示す情報に基づいて当該アクセス要求の優先度に対応するエリア内の識別子を前記移動局に割り当てる割当手段とを有することを特徴とする無線通信システム。
【請求項９】
前記アクセス要求の内容を示す情報は、移動局端末が使用するアプリケーションを示す情報であることを特徴とする請求項８記載の無線通信システム。
【請求項１０】
基地局と、移動局から構成される無線通信システムであって、
移動局が接続中の基地局から他の基地局に切換える場合、
前記移動局は、
前記接続中の基地局が前記移動局に動的に割り当てた識別子を切換先の基地局に送信する送信手段を有し、
切換先の基地局は、
前記接続中の基地局が前記移動局に動的に割り当てた識別子を前記移動局から受信する受信手段と、
前記受信手段により受信した識別子が有する優先度に対応する優先度の識別子を前記移動局に割り当てる割当手段とを有することを特徴とする無線通信システム。
【発明の詳細な説明】
【技術分野】
【０００１】
本発明は、基地局からエリア内の移動局に対して端末を識別する識別子を動的に割り当てる動的識別子割当方法及び無線通信システムに関する。
【背景技術】
【０００２】
移動局として代表される携帯無線通信のような広域無線通信において、特にＨＲＰＤ方式、ＨＳＤＰＡ方式のような高速パケット通信方式の場合であって、基地局から移動局への順方向通信路の通信に優先度を設け順方向チャンネルのリソース割当てを移動局によって制御する場合のことを想定する。尚、ＨＲＰＤ方式は、米国通信工業会（Telecommunication Industry Association（ＴＩＡ）によって公表されたＩＳ−８５６である。ＩＳ−８５６通信方式はＩＳ−９５通信方式の発展系として知られている。ＩＳ−９５通信方式はＣＤＭＡ方式の携帯無線方式（携帯電話）として公表された方式であり、現在、北米、韓国、中国、日本などで広く使用されている。又、下記特許文献１にも開示している。
【０００３】
ＩＳ−８５６はＩＳ−９５に技術的改良を加えパケット通信に特化した通信方式である。各移動局へのピーク通信速度を確保するために、符号分割して複数の移動局へ同時に送信することをせず、スロットごとに移動局を振り分けるＴＤＭＡの概念を導入している。ＴＤＭＡでスロット分けされた部分については、特定の移動局へのデータを分割し複数の符号分割されたデータチャンネルを用いて同時に送信をしている。
【０００４】
移動体通信において移動局毎の通信の優先度を設定する場合を想定する。この場合に、例えば、スロットの割当てアルゴリズムを変更することにより通信の優先度を設定することができる。
【特許文献１】特開２００３−２９８７６２号公報
【発明の開示】
【発明が解決しようとする課題】
【０００５】
このように移動局毎に通信の優先度を設定する場合において、ある移動局との通信が開始された場合、通信の優先度の照会は移動局と通信を行っている基地局装置から制御局またはサーバ装置に対して行われる。ここで、移動局装置が移動し他の基地局にハンドオフした場合のことを想定する。
ハンドオフ先で通信の優先度を引き継ぐためにはハンドオフ元の基地局からハンドオフ先の基地局装置に対して通信の優先度の情報が伝達される必要がある。この場合は基地局装置間の情報の受け渡しであるか、ハンドオフ先の基地局装置が、当該移動局の優先度情報を新たに制御局またはサーバ装置に照会を行う必要があり、基地局装置のバックボーントラフィックの増加に繋がるばかりではなく、基地局装置の処理量が増加することも問題であった。
【０００６】
本発明は、このような事情に鑑みてなされたものであり、移動局の通信優先度についてのネゴシエイションを移動局と基地局との間、基地局間で減らすことができる移動通信システム、その基地局及び移動局を提供することを目的とする。
【課題を解決するための手段】
【０００７】
請求項１に記載の発明は、基地局からエリア内の移動局に対して端末を識別する識別子を動的に割り当てる動的識別子割当方法であって、移動局の固定識別子に対応させて予め優先度を管理し、識別子を割り当てる移動局から該移動局の固定識別子を受信し、該受信した固定識別子に対応する優先度を判定し、当該移動局の優先度に対応する識別子を移動局に割り当てることを特徴とする。
【０００８】
また、請求項２に記載の発明は、請求項１記載の動的識別子割当方法において、前記移動局の固定識別子は、移動局端末に依存する端末識別子又は加入者に依存する加入者識別子であることを特徴とする。
【０００９】
また、請求項３に記載の発明は、基地局からエリア内の移動局に対して端末を識別する識別子を動的に割り当てる動的識別子割当方法であって、移動局からのアクセス要求を受信し、該受信したアクセス要求に対応する優先度を判定し、当該アクセス要求に対応する識別子を移動局に割り当てることを特徴とする。
【００１０】
また、請求項４に記載の発明は、請求項３記載の動的識別子割当方法において、前記アクセス要求に対応する優先度は、移動局端末が使用するアプリケーションに依存することを特徴とする。
【００１１】
また、請求項５に記載の発明は、基地局からエリア内の移動局に対して端末を識別する識別子を動的に割り当てる動的識別子割当方法であって、移動局が接続中の基地局から他の基地局に切換える場合、切換先の基地局は、前記接続中の基地局が前記移動局に動的に割り当てた識別子を受信し、該識別子が有する優先度に対応する優先度の識別子を前記移動局に割り当てることを特徴とする。
【００１２】
また、請求項６に記載の発明は、加入者情報を管理する管理装置と、基地局と、移動局から構成される無線通信システムであって、前記管理装置は、移動局の固定識別子に対応させて優先度を管理する管理手段を有し、
前記移動局は、基地局に接続する際に移動局の固定識別子を接続先の基地局に送信する送信手段を有し、
前記基地局は、移動局から該移動局の固定識別子を受信する受信手段と、該受信した固定識別子と前記管理手段の管理情報に基づいて当該移動局の優先度に対応するエリア内の識別子を前記移動局に割り当てる割当手段とを有することを特徴とする。
【００１３】
また、請求項７に記載の発明は、請求項６記載の無線通信システムにおいて、前記移動局の固定識別子は、移動局端末に依存する端末識別子又は加入者に依存する加入者識別子であることを特徴とする。
【００１４】
また、請求項８に記載の発明は、基地局と、移動局から構成される無線通信システムであって、
前記移動局は、基地局に対してアクセス要求する際に該アクセス要求の内容を示す情報を接続先の基地局に送信する送信手段を有し、
前記基地局は、移動局からアクセス要求を受信する受信手段と、該受信したアクセス要求の内容を示す情報に基づいて当該アクセス要求の優先度に対応するエリア内の識別子を前記移動局に割り当てる割当手段とを有することを特徴とする。
【００１５】
また、請求項９に記載の発明は、請求項８記載の無線通信システムにおいて、前記アクセス要求の内容を示す情報は、移動局端末が使用するアプリケーションを示す情報であることを特徴とする。
【００１６】
また、請求項１０に記載の発明は、基地局と、移動局から構成される無線通信システムであって、
移動局が接続中の基地局から他の基地局に切換える場合、
前記移動局は、前記接続中の基地局が前記移動局に動的に割り当てた識別子を切換先の基地局に送信する送信手段を有し、
切換先の基地局は、前記接続中の基地局が前記移動局に動的に割り当てた識別子を前記移動局から受信する受信手段と、前記受信手段により受信した識別子が有する優先度に対応する優先度の識別子を前記移動局に割り当てる割当手段とを有することを特徴とする。
【発明の効果】
【００１７】
以上説明したように、本発明によれば、移動局の通信の優先度を示す優先情報を度々、該優先情報が格納されているＡＡサーバに照会する必要が無くなり、基地局間のデータ量を削減することができる。
また、ＭＡＣ−ＩＤは通信中に移動局側で知ることができる。そのため通信の優先度を知る為の特別な処理を行わずに移動局は基地局側で設定している自局の通信優先度を知ることができる。
したがって、移動局は、自局の通信優先度に応じてアプリケーションで用いるデータ量、データ転送速度を制御することができ、ユーザの使い勝手を向上させることもできる。
【発明を実施するための最良の形態】
【００１８】
以下、本発明の実施形態を、図面を参照して詳細に説明する。本発明の実施形態に係る無線通信システムの構成を図１に示す。同図において、本発明の実施形態に係る無線通信システムは、複数の移動局ＭＳ１、ＭＳ２と、基地局ＢＳ１、ＢＳ２と、基地局ＢＳ１、ＢＳ２にそれぞれ接続されている基地局装置ＢＴＳ１、ＢＴＳ２と、制御局ＢＳＣと、制御局ＢＳＣに接続されているネットワークと、該ネットワークに接続されているＡＡ（Authorization and Admission）Server（以下、ＡＡサーバと記す。）とを有している。
【００１９】
本発明の実施形態に係る無線通信システムは、下り無線チャネルが小さな時間単位のスロットに分割され、該時分割されたスロットの移動局への割り当てを、基地局支配下のいずれの移動局に対しての通信であるかを指定するための、前記スロットに先立つプリアンブル部分に含まれるアドレス番号（固定識別子）で管理するシステムである。固定識別子は、本実施形態ではＭＡＣ−ＩＤである。
なお、移動局、基地局、基地局装置及び制御局は、実際には多数、存在するが、本実施形態では、説明の便宜上、移動局はＭＳ１、ＭＳ２のみ、基地局はＢＳ１、ＢＳ２のみ、基地局装置はＢＴＳ１、ＢＴＳ２のみ、制御局はＢＳＣのみしか示していない。
【００２０】
移動局ＭＳ１、ＭＳ２は、電話機能及びデータ通信機能を有している。
移動局ＭＳ１、ＭＳ２の具体的構成を図８に示す。図８では、移動局ＭＳ１、ＭＳ２の構成を移動局１の構成として説明する。図８において、移動局１は、本発明の実施の形態に係る移動通信端末装置としての携帯電話装置のブロック図を図１に示す。同図において各種プログラムを実行することにより電話機、各種アプリケーションの専用機としての各部の動作を制御するＣＰＵ１０と、各種プログラムや固定データ等が格納されるＲＯＭ１２と、ＲＡＭ１４と、入力部１６と、表示部１８と、無線通信部２０と、音声処理部２２と、音楽再生部２４と、受話用スピーカ２８と、マイク３０と、着信用スピーカ３２と、バイブレータ３４と、バス５０とを有している。
【００２１】
無線通信部２０は、移動局ＭＳ１、ＭＳ２は、基地局に接続する際、移動局の固定識別子を接続先の基地局に送信する送信手段として機能し、また、移動局が基地局にアクセスする際に該アクセス要求の内容を示す情報を接続先の基地局に送信する送信手段としても機能する。
基地局ＢＳ１、ＢＳ２は送受信機能を有しており、基地局装置ＢＴＳ１、ＢＴＳ２は、移動局からの接続要求に応じて移動局間の無線接続をするための制御を行う。
【００２２】
基地局ＢＳ１及び基地局装置ＢＴＳ１、基地局ＢＳ２及び基地局装置ＢＴＳ２は、それぞれ、本発明の基地局に相当する。
基地局ＢＳと基地局装置ＢＴＳからなる基地局２の構成を図９に示す。同図において、基地局２は、アンテナ２００１と、アンテナ２００１により移動局と通信する送受信部２００２と、制御部２００３とを有している。
【００２３】
基地局ＢＳ１、ＢＳ２は、図９におけるアンテナ２００１及び送受信部２００２に相当し、制御部２００３は、基地局装置ＢＴＳに相当する。
送受信部２００２は、移動局の固定識別子、或いは移動局からのアクセス要求を受信する、本発明の受信手段に相当する。
制御局ＢＳＣは、基地局とネットワークとの中継、具体的には基地局装置ＢＴＳ１、ＢＴＳ２を統轄的に制御する機能を有している。
【００２４】
図１０にＡＡサーバ３の構成を示すＡＡサーバ３は、各移動局の加入者情報を管理する機能を有する管理部３００１と、移動局毎の通信の優先度を示す優先情報が格納されている記憶部３００２と、ネットワークと接続するためのインターフェース３００３とを有している。管理部３００１と、記憶部３００２と、インターフェース３００３とは相互にバス３０００を介して接続されている。
ＡＡサーバ３は、本発明の管理装置に相当する。
【００２５】
基地局装置ＢＴＳ１、ＢＴＳ２は、移動局に固定識別子を割り当てる際に、ＡＡサーバから取得した前記移動局の優先情報に基づいて前記固定識別子に前記スロット割り当ての優先度を含めるように識別子を割り当てる機能を有する。すなわち、前記受信手段により受信した固定識別子と前記管理手段の管理情報に基づいて当該移動局の優先度に対応するエリア内の識別子を前記移動局に割り当てる機能、または前記受信手段により受信した識別子が有する優先度に対応する優先度の識別子を前記移動局に割り当てる機能を有している。基地局装置ＢＴＳ１、ＢＴＳ２は、本発明の割当手段に相当する。
【００２６】
また、基地局装置ＢＴＳ１、ＢＴＳ２は、通信を開始する移動局について、ＡＡサーバに該移動局の通信の優先情報の照会を行い、取得した該移動局の優先情報に基づいて該移動局に前記スロット割り当ての優先度を含めるように固定識別子を割り当てる機能を有する。
【００２７】
さらに、基地局装置ＢＴＳ１、ＢＴＳ２は、ある移動局が通信を開始する際にＡＡサーバから取得した前記移動局の優先情報に基づいて該移動局にスロットを割り当てるとともに、ハンドオフする際に、ハンドオフ元の基地局は、現在管理下にあり、ハンドオフ先の基地局に通信を継続させる移動局の固定識別子（ＭＡＣ−ＩＤ）を前記ハンドオフ先の基地局に送出する機能を有する。
【００２８】
ここで、基地局から移動局に対してＭＡＣ−ＩＤを割り当てる手順の概要を説明する。基地局から移動局への順方向通信路はＩＳ−８５６においては、１．６７ｍｓごとのスロットにある特定の移動局への通信が割り当てられる。移動局はスロット直前に挿入されるプリアンブルを受信し、プリアンブルに続くスロットが自局に対しての通信なのか、否かを判別する。
【００２９】
１つの基地局装置に同時に収容される通信中の移動局はＭＡＣ−ＩＤと呼ばれる番号でそれぞれ識別される。ＩＳ−８５６において、ＭＡＣ−ＩＤは６４通りである。ＭＡＣ−ＩＤは、プリアンブル中にタイミングを同期させる目的の符号と合わせて送信される。ＭＡＣ−ＩＤを割当てされた移動局はプリアンブル中のＭＡＣ−ＩＤをモニターする。プリアンブル中のＭＡＣ−ＩＤが移動局に割当てされたＭＡＣ−ＩＤと一致した場合それに引き続くスロットが移動局への占有スロットとなる。
【００３０】
ＩＳ−８５６を用いた移動体通信において移動局毎の通信の優先度を設定する場合を想定する。この場合に、移動局ごとに予め設定された優先度でも良いし、移動局が使用しているアプリケーションに依存させても良い。ここで、アプリケーションに依存させる優先度とは、移動局によるアクセス要求に対応する優先度であり、この「アクセス要求」とは例えば、「ネットワークへの接続要求」、「通信を開始するためチャネル割当要求」等が該当する。
【００３１】
なお、本実施形態では、基地局装置ＢＴＳ１、ＢＴＳに制御局ＢＳＣ、ネットワークを介して間接的に接続されるＡＡサーバに移動局毎の通信の優先度を示す優先情報を格納するようにしているが、この優先情報をＡＡサーバの代わりに制御局ＢＳＣに格納するようにしてもよい。この場合の制御局ＢＳＣは本発明の管理装置に相当する。
【００３２】
上記構成からなる移動通信システムの動作を図２及び図３のフローチャートを参照して説明する。本実施形態では移動局毎に通信の優先度が設定されている場合を想定する。図２は通信開始時の移動局に対する通信優先度の設定を行うための処理内容を示している。
現在、移動局ＭＳ１、ＭＳ２は基地局ＢＳ１のセル内に位置しているものとする。この状態で移動局ＭＳ１が通信を開始し、接続処理を行う（ステップ１００）。
すなわち、移動局ＭＳ１の接続要求は基地局ＢＳ１、基地局装置ＢＴＳ１を介して制御局ＢＳＣに送出される。
【００３３】
制御局ＢＳＣはＡＡサーバに対して移動局ＭＳ１の接続の可否を照会する。
移動局ＭＳ１が正規のユーザであることが確認された後、基地局装置ＢＴＳ１は、制御局ＢＳＣを介してＡＡサーバに対して通信の優先度の照会を行う（ステップ１０１）。
【００３４】
次いで、基地局装置ＢＴＳ１は、ＡＡサーバより制御局ＢＳＣを介して端末としての移動局に設定されている優先情報（ユーザクラス情報）を取得する（ステップ１０２）。
基地局装置ＢＴＳ１は、上記優先情報が示す通信の優先度に従ってアドレス番号であるＭＡＣ−ＩＤを移動局ＭＳ１に割り当てる（ステップ１０３）。移動局ＭＳ２についても同様にして接続動作を行う。
【００３５】
基地局装置ＢＴＳ１において移動局ＭＳ１とＭＳ２の通信スロットの配分（スケジューリング）は、ＩＳ−８５６で通常行われる受信品質ベースの配分に加え，ＡＡサーバに照会した移動局の優先度情報を加味して行われる。「優先度情報の加味」とは、例えば受信品質のパラメータに優先度のパラメータを掛け算したり、加算したり、テーブルを参照したり、複数の引数を持つ関数に値を挿入したりすることを意味する。
【００３６】
次に、移動局ＭＳ１、ＭＳ２がハンドオフする場合を想定する。基地局装置ＢＴＳ１から基地局装置ＢＴＳ２にハンドオフする場合は基地局装置ＢＴＳ１から基地局装置ＢＴＳ２に対して制御局ＢＳＣ経由でハンドオフする移動局ＭＳ１、ＭＳ２の優先情報を受け渡す。すなわち、ハンドオフが開始されると（ステップ２００）、ハンドオフ先の基地局装置ＢＴＳ２がハンドオフ元の基地局装置ＢＴＳ１からハンドオフする移動局のＭＡＣ−ＩＤを引き継ぐ（ステップ２０１）。
次いで、ハンドオフする移動局ＭＳ１、ＭＳ２に設定されている優先情報（ユーザクラス情報）が基地局装置ＢＴＳ１から制御局ＢＳＣを介して基地局装置ＢＴＳ２に送出される（ステップ２０２）。
【００３７】
次いで、基地局装置ＢＴＳ１は、上記優先情報が示す通信の優先度に従ってアドレス番号であるＭＡＣ−ＩＤを移動局ＭＳ１、ＭＳ２に割り当てる（ステップ２０３）。
基地局装置ＢＴＳ１が移動局ＭＳ１、ＭＳ２が現在通信しているＭＡＣ−ＩＤの番号を基地局装置ＢＴＳ２に渡すだけで移動局ＭＳ１、ＭＳ２の通信の優先度を示す優先度情報を基地局装置ＢＴＳ２は知ることができる。それはＭＡＣ−ＩＤと移動局の優先情報が一対となっているからである。移動局ＭＳ１、ＭＳ２がハンドオフした後、基地局装置ＢＴＳ２は基地局装置ＢＴＳ１と同様にスロットの配分を行い、通信を継続する。
【００３８】
ＭＡＣ−ＩＤと通信優先度との関係について具体的に説明する。ＭＡＣ−ＩＤと通信優先度との関係を図７に示す。同図に示すように、本実施形態では通信の優先度を０：緊急ユーザ、１：ゴールドユーザ、２：シルバーユーザ、３：ブロンズユーザの４段階に分けて設定する。
【００３９】
ＭＡＣ−ＩＤについては０〜８，５０〜をシステム予約、８，９，１０を緊急ユーザ、１１〜１５をゴールドユーザ、１６〜２０をシルバーユーザ、２１〜４９をブロンズユーザに割り当てるものとする。ハンドオフの場合は通常同じユーザクラスが割り当てられる。ゴールドユーザ、シルバーユーザ、ブロンズユーザは、例えば、月々の基本料金に基づいて決定される。
【００４０】
ハンドオフ先でのユーザクラスが一杯である場合は次のグレードのユーザクラスに割当がテンポラリでなされる。正規のユーザクラスに空きができた場合、ＭＡＣ−ＩＤの再割当を行っても良い。正規のユーザクラスに空きがなくクラスダウン割当てが発生している場合には、ある一定の間隔で正規のユーザクラスに割り当てられている移動局のなかで無作為に選択した移動局とのグレードの交代を実施しても良い。グレードの交代をする場合には無作為抽出のほかに、移動局の通信品質、累積通信時間などを用いても良い。
【００４１】
図３におけるステップ２０１の処理内容を図４及び図５を参照して具体的に説明する。図４は、本発明の実施形態に係る移動通信システムにおけるハンドオフ時の状態を示しており、図５はハンドオフ時の移動局と基地局との間の制御シーケンスを示している。
図３において、最初、基地局ＢＳ１のセルαには、移動局ＭＳ１、ＭＳ２、ＭＳ３が通信を行っており、基地局Ｂのセルβでは、移動局ＭＳ４、ＭＳ５が通信を行っているものとする。
【００４２】
基地局ＢＳ１では、基地局装置ＢＴＳ１が移動局ＭＳ１、ＭＳ２、ＭＳ３に対する通信リソースの割当を行い、移動局ＭＳ１、ＭＳ２、ＭＳ３が通信リソースを分け合って通信を行っている。通信リソースの配分の重み付け情報は制御局ＢＳＣを介してＡＡサーバに格納されている。その問合せを基地局装置ＢＴＳ１が行い、移動局への通信リソースの割当を実施する。
同様に基地局ＢＳ２においても移動局ＭＳ４、ＭＳ５とも通信状態にある。これらの移動局ＭＳ４、ＭＳ５に対する通信リソースの配分の重み付けは、基地局ＢＴＳ２が実施している。
【００４３】
ここで、移動局ＭＳ３が基地局ＢＳ１のセルαから基地局ＢＳ２のセルβに移動する場合を想定する。移動局ＭＳ３は、最初、基地局ＢＳ１と通信を行っている。このときに、定期的に受信状態の報告を行う（シーケンスＳ１）。ただし、基地局ＢＳ２からの受信信号もモニタしている。
基地局ＢＳ２からの信号状態が予め設定された閾値を超えた時点で基地局ＢＳ１に対して受信状態の報告を行う（シーケンスＳ２）。この報告は制御局ＢＳＣで処理される。
制御局ＢＳＣは、移動局ＭＳ３からの受信状態の報告をもとに基地局ＢＳ２に移動局ＭＳ３との通信開始を要求する。
【００４４】
次いで、基地局装置ＢＴＳ２が移動局ＭＳ３との通信準備ができた段階で、制御局ＢＳＣは、基地局ＢＳ１を介して通信先の変更指示を移動局ＭＳ３に対して送出する（シーケンスＳ３）。
【００４５】
基地局ＢＳ２は、現時点までに移動局ＭＳ４、ＭＳ５と通信中であった。ここに移動局ＭＳ３が入ってくるので、移動局ＭＳ３、ＭＳ４、ＭＳ５で通信リソースを配分しなければならない。そのために移動局ＭＳ３の移動局毎の優先情報を入手する必要がある。
移動局毎の優先情報は、ＭＡＣ−ＩＤに関連付けされていることから、制御局ＢＳＣは基地局ＢＳ１により割り当てられたＭＡＣ−ＩＤと同一の優先順位を有するＭＡＣ−ＩＤを基地局ＢＳ２においても割り当てるように指示する。
【００４６】
基地局ＢＳ２は、移動局ＭＳ３のＭＡＣ−ＩＤをもとに移動局ＭＳ３の情報を入手し、通信リソースの割当の重み付けを行うことができる。シーケンスＳ３における変更指示において、基地局ＢＳ１と基地局ＢＳ２と両方で通信を行う指定をすることも可能である。この場合は、移動局ＭＳ３は、ＭＳ３’の状態となる。すなわち、移動局ＭＳ３は、セルαとセルβとが重なるエリアγにおいて、基地局ＢＳ１、ＢＳ２と通信を行うこととなる。
【００４７】
移動局ＭＳ３は、基地局ＢＳ１、ＢＳ２に受信状態の報告を行う（シーケンスＳ４）。
移動局ＭＳ３がＭＳ３’の状態において、基地局ＢＳ１の信号が閾値より小さくなった場合において移動局ＭＳ３は、基地局ＢＳ１に対して受信状態の報告を行う（シーケンスＳ５）。
【００４８】
ここで、制御局ＢＳＣが、移動局ＭＳ３と基地局ＢＳ１との通信を終了させ、移動局ＭＳ３に基地局ＢＳ２と通信させると判断したとする。
制御局ＢＳＣは、基地局ＢＳ１、ＢＳ２を介して通信先の変更指示を移動局ＭＳ３に対して送出する（シーケンスＳ６）。その後、基地局ＢＳ１は、移動局ＭＳ３との通信を終了し、基地局ＢＳ２は、移動局ＭＳ３との通信を継続する。
【００４９】
このようにして、ハンドオフ時に、ハンドオフ元の基地局装置ＢＴＳ１からハンドオフ先の基地局装置ＢＴＳにＭＡＣ−ＩＤの引継ぎが行われる。
本発明の実施形態に係る移動通信システムでは、ＭＡＣ−ＩＤは通信中に移動局側で知ることができる。そのため通信の優先度を知る為の特別な処理を行わずに移動局は基地局側で設定している自局の通信優先度を知ることができる。
【００５０】
したがって、移動局は、自局の通信優先度に応じてアプリケーションで用いるデータ量、データ転送速度を制御するようにしてもよい。
又、移動局は、使用するアプリケーションなどの状況を示す情報をアクセス要求に含め、基地局はこの情報に基づいて、最適なＭＡＣ−ＩＤを再割当てしても良い。
【００５１】
次に、従来の移動通信システムにおけるハンドオフ時の動作を、図６を参照して説明する。この例では移動局ごとに通信の優先度が設定されているものとする。図６において、移動局ＭＳ１が通信を開始する。移動局ＭＳ１は基地局ＢＳ１のセル内に位置している。移動局ＭＳ１の接続要求は基地局装置ＢＴＳ１を介して制御局ＢＳＣに送出される。
制御局ＢＳＣはＡＡ（Authorization and Admission ）Server（ＡＡサーバ）に対して移動局ＭＳ１の接続の可否を照会する。
【００５２】
移動局ＭＳ１が正規のユーザであることが確認された後、制御局ＢＳＣは、通信の優先度を示す優先情報の照会を行う。 通信の優先度情報は制御局ＢＳＣから基地局装置ＢＴＳ１に送出される。移動局ＭＳ２についても同様にして接続動作を行う。
基地局装置ＢＴＳ１において移動局ＭＳ１と移動局ＭＳ２の通信スロットの配分（スケジューリング）は、ＩＳ−８５６で通常行われる受信品質ベースの配分に加え、ＡＡサーバに照会した移動局の優先度情報を加味して行われる。優先度情報の加味とは例えば受信品質のパラメータに優先度のパラメータを掛け算したり、加算したり、テーブルを参照したり、複数の引数を持つ関数に値を挿入したりすることを指す。
【００５３】
移動局ＭＳ１、ＭＳ２がハンドオフする場合を想定する。基地局装置ＢＴＳ１から基地局装置ＢＴＳ２にハンドオフする場合は基地局装置ＢＴＳ１から基地局装置ＢＴＳ２に対して制御局ＢＳＣ経由でハンドオフする移動局ＭＳ１、ＭＳ２の情報を受け渡す。同時に基地局装置ＢＴＳ２は移動局ＭＳ１、ＭＳ２の優先度情報をＡＡサーバに対して照会を行う。つまり、図６に示した従来の移動通信システムでは、ハンドオフに際して基幹系でのデータトラフィックは、図１に示した本発明の実施形態に係る移動通信システムの場合に比較して増大することが判る。
【００５４】
本発明の実施形態に係る移動通信システムによれば、移動局の通信の優先度情報を度々、該優先情報が格納されているＡＡサーバに照会する必要が無くなり、基地局間のデータ量を削減することができる。
また、本発明の実施形態に係る移動通信システムによれば、ＭＡＣ−ＩＤは通信中に移動局側で知ることができる。そのため通信の優先度を知る為の特別な処理を行わずに移動局は基地局側で設定している自局の通信優先度を知ることができる。
したがって、移動局は、自局の通信優先度に応じてアプリケーションで用いるデータ量、データ転送速度を制御することができ、ユーザの使い勝手を向上させることもできる。
【図面の簡単な説明】
【００５５】
【図１】本発明の実施形態に係る移動通信システムの構成を示す図。
【図２】図１に示した本発明の実施形態に係る移動通信システムにおける移動局の通信開始時における優先情報の設定処理の処理内容を示すフローチャート。
【図３】図１に示した本発明の実施形態に係る移動通信システムにおけるハンドオフ時における優先情報の設定処理の処理内容を示すフローチャート。
【図４】図１に示した本発明の実施形態に係る移動通信システムにおけるハンドオフ時における動作を詳細に示す説明図。
【図５】図４に示した移動通信システムのハンドオフ時の制御シーケンスを示すシーケンス図。
【図６】従来の移動通信システムにおける動作を示す説明図。
【図７】ＭＡＣ−ＩＤと通信優先度との関係を示す説明図。
【図８】移動局の具体的構成を示すブロック図。
【図９】基地局の具体的構成を示すブロック図。
【図１０】ＡＡサーバの具体的構成を示すブロック図。
【符号の説明】
【００５６】
ＭＳ１、ＭＳ２…移動局
ＢＳ１、ＢＳ２…基地局
ＢＴＳ１、ＢＴＳ２…基地局装置
ＢＳＣ…制御局
【図１】
2005294957.tif 000003
【図２】
2005294957.tif 000004
【図３】
2005294957.tif 000005
【図４】
2005294957.tif 000006
【図５】
2005294957.tif 000007
【図６】
2005294957.tif 000008
【図７】
2005294957.tif 000009
【図８】
2005294957.tif 000010
【図９】
2005294957.tif 000011
【図１０】
2005294957.tif 000012